(57)【特許請求の範囲】
【請求項１】
少なくとも片面に剥離剤層を有するセパレータの剥離剤層側に、ラベル基材と粘着剤層からなるラベル片を仮着したラベルであって、
前記ラベルには、ラベル基材、粘着層およびセパレータのうち少なくともラベル基材を貫通する切込みが形成され、
前記切込みが短い切込みと長い切込みとからなる鎖線状であり、短い切込みと長い切込みとでモールス符号の短点と長点とを表し、情報の表示と情報の記録とを行うことを特徴とするセキュリティラベル。
【請求項２】
少なくとも片面に剥離剤層を有するセパレータの剥離剤層側に、ラベル基材と粘着剤層からなるラベル片を仮着したラベルであって、
前記ラベルには、ラベル基材、粘着層およびセパレータのうち少なくともラベル基材を貫通する切込みが形成され、
前記切込みが鎖線状であり、切込みの有りと無しとをバーコードの黒バーと白バーに対応させて数字および／または文字を表すことを特徴とするセキュリティラベル。
【発明の詳細な説明】
【技術分野】
【０００１】
本発明はセキュリティラベルに係り、ラベル自体の真贋を判別可能で、即ち、ラベルを貼り付けた製品の真贋を判別可能にするセキュリティラベルに関するものである。
【背景技術】
【０００２】
従来から、機械の補修部品などに製造元や販売元を示すラベルを貼り、これらの部品が適正で正規のものであることを示す場合がある。このラベルは、製造元や販売元のほか、性能や耐久性などを保証するものであるが、デザインを似せたイミテーションラベルを類似品や粗悪な部品（いわゆるイミテーション部品）に貼るという不正行為が行われる場合がある。
【０００３】
イミテーション部品が出回ることにより、機械の製造元は、金銭的な損害を被るばかりか、粗悪部品が組み込まれると機械全体の耐久性が維持されず、寿命を縮めるほか、故障や事故の原因になる。さらに、製造元や販売元の信用が損なわれるというという不具合がある。このようなイミテーション行為は、機械部品に限らず、衣類やバッグなど知名度が高い商品のほか、ソフトウェアや電気製品など多くの分野で問題になっている。
【０００４】
こうしたイミテーションないし偽造防止のためのラベル（セキュリティラベル）が開発されている。たとえば、紫外線照射を受けて蛍光を発する、いわゆるブラックライトインキを用いたラベルがある。このラベルは、表面にブラックライトインキで画像（印刷）を形成し、蛍光能の有無によって真贋を判断するものである。しかしながら、印刷紙の種類によっては光沢が変わって画像の輪郭を目視できるため、ブラックライトインキによる印刷に気付かれることがある。
【０００５】
これ以外の偽造防止ラベルとして、ホログラムを用いたラベルや、マイクロ文字を印刷する方法がある。しかし、前者のホログラムはイニシャルコストが高価であることに加え、専用の設備が必要であり、ランニングコストも高額になる。後者のマイクロ文字は、微小な文字により画線を構成して画像を表現する技術であるが、高精度の印刷設備と技術が必要であり、それらのコストがラベル価格に反映され、ラベルが高額になってしまう。
【先行技術文献】
【特許文献】
【０００６】
【特許文献１】特開２００２−７２８８７号公報
【発明の概要】
【発明が解決しようとする課題】
【０００７】
本発明は前記のような諸問題に鑑みなされたもので、低コストで簡単にラベルの真贋判定が可能で、ラベルそのものや製品の偽造防止、偽造品の流通防止に効果があるセキュリティラベルを提供することを目的とする。
【０００８】
また本発明は、セキュリティラベルであること自体を気付かれにくいセキュリティラベルを提供することを目的とする。
【課題を解決するための手段】
【０００９】
本発明の第１の発明のセキュリティラベルは、少なくとも片面に剥離剤層を有するセパレータの剥離剤層側に、ラベル基材と粘着剤層からなるラベル片を仮着したラベルであって、前記ラベルには、ラベル基材、粘着層およびセパレータのうち少なくともラベル基材を貫通する切込みが形成され、前記切込みが短い切込みと長い切込みとからなる鎖線状であり、短い切込みと長い切込みとでモールス符号の短点と長点とを表し、情報の表示と情報の記録とを行うことを特徴としている。
このように、セキュリティラベルに形成された切込みでモールス符号を表しても良い。具体的には、切込みが短い切込みと長い切込みとからなる鎖線状とし、短い切込みと長い切込みとでモールス符号の短点と長点とを表現する。短い切込みを短点、長い切込みを長点とすれば良い。
本発明の第２の発明のセキュリティラベルは、少なくとも片面に剥離剤層を有するセパレータの剥離剤層側に、ラベル基材と粘着剤層からなるラベル片を仮着したラベルであって、前記ラベルには、ラベル基材、粘着層およびセパレータのうち少なくともラベル基材を貫通する切込みが形成され、前記切込みが鎖線状であり、切込みの有りと無しとをバーコードの黒バーと白バーに対応させて数字および／または文字を表すことを特徴としている。
このように、切込みを鎖線状にし、切込みの有りと無しとをバーコードの黒バーと白バーに対応させて数字や文字を表しても良い。例えば、切込んだ部分を黒バー、切込んでいない部分を白バーとし、バーの太さは切込んだ部分の長さや切込んでいない部分の長さで表現する。反対に、切込みを白バー、切込んでいない部分を黒バーにしても構わない。なお、バーコードの規格は任意である。
【発明の効果】
【００１０】
本発明のセキュリティラベルによれば、ラベル基材に形成した切込みの形状、配置、位置、数、またはそれらの組み合わせにより情報の表示と情報の記録とを行うことができる。基材に形成した切込みは意味が無い切れ目にしか見えないため、ラベルを被着体に貼り付けた後でも、ラベル自体がセキュリティラベルであることに気付かれにくいという効果がある。
切込みがラベル基材からセパレータの層内まで達している場合は、ラベル基材とセパレータとに同一の切込みが形成されている。そのため、ラベルをセパレータから剥がして被着体に貼り付けた後でも、セパレータにはラベル基材と同一の切込みが残る。従って、セパレータを控えとして利用することも可能になる。
また、切込みはラベル加工のダイカット工程でラベル輪郭のハーフカットと同時に行うことができ、工程数が増えることがない。専用の設備や材料を必要とせず、設備の追加も不要である。
【図面の簡単な説明】
【００１１】
【図１】本発明のセキュリティラベルを示す平面図および断面図。
【図２】本発明のセキュリティラベルをロール状に巻いたロール体の斜視図。
【図３】本発明のセキュリティラベルの印字発行に用いる電子プリンタの概略側面図。
【図４】本発明のセキュリティラベルの別な実施形態を示す平面図。
【図５】本発明のセキュリティラベルを示す平面図および断面図。
【図６】本発明のセキュリティラベルの別な実施形態を示す平面図。
【図７】本発明のセキュリティラベルの別な実施形態を示す平面図。
【発明を実施するための形態】
【００１２】
以下、本発明の実施の形態について詳細に説明する。図１および図２に本発明の第１発明のセキュリティラベル１０を示す。図１（ａ）はセキュリティラベル１０の平面図、図１（ｂ）はそのｂ−ｂ線断面図である。図２はセキュリティラベル１０の連続体を巻回したラベルロール１２の斜視図である。
【００１３】
本発明のセキュリティラベル１０は、ラベル基材５と粘着剤層６とセパレータ７とをこの順に積層した長尺帯状の粘着紙２に、ラベル片４の輪郭に応じ、ラベル基材５側から粘着剤層６に至る所望サイズのハーフカットを所定間隔で施し、ラベル片４周囲のラベルカスと呼ばれる不要な部分を取り除いたものである。各ラベル片４には切込み８が形成されている。
【００１４】
図１（ｂ）に示すように、切込み８はラベル基材５の表面からラベル基材５と粘着剤層６を貫通し、セパレータ７の表面近くまで達している。切込み８はラベル加工のダイカット工程でラベル片４を打ち抜く際に同時に行われる。ラベル片４の輪郭を打ち抜く刃に切込み８形成用の刃を追加するだけで良い。
【００１５】
図１（ａ）、図１（ｂ）の切込みは、短点と長点の組み合わせで構成したモールス符号である。短い切込みと長い切込みとでモールス符号の短点と長点を表現している。例えば、図１（ａ）の３条の切込みは、図の上側から順に英字のＡ、Ｂ、Ｃを表わす。文字数は１文字でも複数文字でも構わず、文字や数字の組み合わせだけではなく、セキュリティラベル１０のスペースに余裕があれば、単語や文章を表現することも可能である。
【００１６】
セキュリティラベル１０は、表面に文字や図柄を印刷し、例えば、ラベルを貼り付けた容器の内容物や、貼り付けた物品自体が純正品、真正品であることを示す、いわゆる「純正ラベル」や「真正ラベル」として使用しても良い。
【００１７】
セキュリティラベル１０に一枚ごと異なる情報を書き込む場合は、その連続体を巻回して図２に示すラベルロール１２を作成し、電子プリンタにセットして表面に印字を行う。以下、電子プリンタで可変情報を印字する様子を説明する。
【００１８】
図３は電子プリンタ５０の概略側面図である。電子プリンタ５０は、ロール紙供給部５１と印字部６１を筐体５２内に設けたものである。ロール紙供給部５１の軸５５にはラベルロール１２が回転可能に支持されている。セキュリティラベル１０の走行経路に沿って、ガイドバー５６、セキュリティラベル１０の連続体の有無を検知する用紙センサ５７、ラベルのインターバルを検出するピッチセンサ５８が取り付けられている。その下流の印字部６１は、プラテンローラ６２と、前記プラテンローラ６２とともにセキュリティラベル１０の連続体を押圧保持するサーマルヘッド６３、それらの下流のカッタユニット６４で構成される。筐体５２には、カッタユニット６４に隣接して発行口６５が設けられる。
【００１９】
プラテンローラ６２が回転すると、ラベルロール１２から巻き出されたラベル連続体６は、ガイドバー５６、用紙センサ５７、ピッチセンサ５８を経て印字部６１に至り、各セキュリティラベル１０にサーマルヘッド６３の発熱走査で文字やバーコード等の画像が印字される。印字が行なわれたセキュリティラベル１０は、連続したまま、あるいは、カッタユニット６４でカットされて発行口６５から外部に至り、ラベルが発行される。このようにして印字発行したセキュリティラベル１０は、セパレータ７から剥がし、所定の被着体に貼り付ける。
【００２０】
被着体に貼り付けられたセキュリティラベル１０を第三者が見た場合、一見しただけでは切込み８に気付かない。切込み８が細く小さく見えにくいことに加え、意図的に形成された物とは思われにくいためである。仮に、第三者が切込み８の存在に気付いた場合でも、ラベルに傷が付いているという程度の認識に留る。切込み８に意味があることまでは推測されにくいため、切込み８の持つ意味が判読される可能性は低い。
【００２１】
悪意を持つ者がこのセキュリティラベル１０の偽造を試みる場合、ラベル基材５に似た質感の基材を用い、ラベル加工機でプレ印刷の色、字体、デザインを真似て印刷し、同じサイズに仕上げると予想される。しかし、切込み８の存在に気付かなければ、切込み８が無いラベルが偽造されるため、偽造ラベルが貼り付けられた製品が出回っても切込み８の有無を手掛かりにして真贋判定が可能になる。シールの偽造者がラベル基材５に同様な切込み８を加工することも考えられるが、切込み８は印刷とは異なって位置や深さを正確に真似ることが難しいため、偽造を抑止する効果が得られる。切込み８も含めた偽造を試みても、全く同じ構成のラベルの作成は難しく、真贋判定が可能になる。
【００２２】
また、切込み８の位置や形状や配置などが意味を持つことを利用し、連続したラベルの切込み８が示すモールス符号を一定周期で変えても良い。例えば３枚周期の場合、１枚目はＡ、２枚目はＢ、３枚目はＣとして４枚目で最初のＡに戻り、５枚目Ｂ、６枚目Ｃと繰り返しても良い。この場合、それぞれＡ、Ｂ、Ｃを表すラベルは総枚数の３分の１ずつになり、被着体である製品の同一ロットにはＡ、Ｂ、Ｃを表すラベルが均等に含まれることになる。
【００２３】
悪意の偽造者が「Ａ」を意味する切込み８が入ったラベルを作成して偽造品に貼り付けた場合、疑わしい製品のロットの抜き取り検査を行うことで真贋判定が可能になる。例えば、疑わしい製品が１００個ある場合、そのうち１０％ほど抜き取って切込み８の意味を調べれば良い。真正品であれば、切込みＡ、Ｂ、Ｃの比率が概ね均等になる。仮に、全てのラベルの切込みがＡだけである場合や、ＡとＢしか出現しない場合は、そのロット全体が偽造製品だと推定される。
【００２４】
図４は本発明の第１発明の別な実施形態である。図４のセキュリティラベル１０は、各ラベル片４の表面に文字９をプレ印刷したものである。そして、文字９の隣接位置に切込み１８を形成してある。この切込み１８は単純な線分であり、切込み１８が形成された位置が情報を表す。図４のセキュリティラベル１０では英字Ａの下方と、数字２の下方に切込み１８が形成されており、Ａと２、即ち英字と数字の文字の組み合わせで特定の情報に対応させる。英字と数字の組み合わせは任意である。１文字ずつ組合せても、一文字と複数文字の組合せ、複数文字と一文字の組合せ、複数文字と複数文字を組合せても良い。
【００２５】
図５は本発明の第２発明のセキュリティラベルである。図５（ａ）はセキュリティラベル１０の平面図、図５（ｂ）はそのｂ−ｂ線断面図である。
【００２６】
第２発明のセキュリティラベル１０は、先に図１を用いて説明した第１発明のセキュリティラベル１０と同様に、ラベル基材５と粘着剤層６とセパレータ７とをこの順に積層した長尺帯状の粘着紙２からなる。同じく所望サイズにハーフカットして所定形状に打ち抜いて形成されたものである。また、第１発明と同様にラベル基材５側から切込み２８が形成されている。
【００２７】
図５（ｂ）に示すように、切込み２８はラベル基材５表面からラベル基材５と粘着剤層６を貫通し、セパレータ７の層内へ達している。切込み２８形成用の刃の刃高をラベル輪郭形成用の刃より高くしておくことで、深い切込み２８が形成される。
【００２８】
図５（ｃ）にラベル片４を剥離した状態を示す。ラベル片１４を剥離すると、残ったセパレータ７に切込み２８ａが現れる。切込み２８と切込み２８ａの形状は同一であるため、モールス符号など、切込み２８が有している情報はセパレータ７の切込み２８ａを見ても解読可能になっている。従って、第２発明のセキュリティラベル１０においては、第１発明の作用効果に加え、切込み２８ａが形成されたセパレータ７をラベル片４の控えとして利用することも可能である。
【００２９】
なお、切込み２８の深さは、セパレータ７の層内部に達してさえいれば、セパレータ７を貫通していても、層の途中で留っていても良い。
【００３０】
図６に切込み３８で２進数を表現した実施形態を示す。同図に示すように各ラベル片４に長手方向（ラベルの配列方向）と平行な切込み３８を複数設ける。一定の区間Ｐに切込み３８が形成されていれば、その区間３８ａを「１」とする。別の区間Ｐが切込みが無い部分３８ｂであれば、その区間を「０」とする。図６に示した切込み３８は２進数で「１１１００１０１１」となり、これを１０進数に変換することで様々な情報を表記できる。例えば、日付を表しても、製品のロットナンバーを表しても良い。なお、ここで、切込みが形成された区間３８ａを「０」、切込みが無い区間３８ｂを「１」と意味付けても良い。
【００３１】
図７に示すセキュリティラベル１０は、バーコード７０に対応させた切込み４８を形成した例である。同図に示すように、各ラベル片４に鎖線状の切込み４８を形成する。バーコード７０のうち、黒バー７８ａに対応する部分を切込み部分４８ａ、白バー７８ｂに対応する部分を切込みが無い部分４８ｂとして数字や文字等を表現する。バーの太さは切込み部分４８ａ或いは切込みが無い部分４８ｂの長さで表現する。黒バー７８ａ、白バー７８ｂと、切込み４８の意味付けは上記の逆にしても良い。なお、バーコードの規格は任意である。
【００３２】
図６および図７に示した実施形態の切込みの深さは、セパレータ７に達していなくても（第１発明）、セパレータ７の層に達していても（第２発明）どちらでも良い。
【００３３】
切込みの形状は直線でも曲線でも構わないが、なるべくラベルの搬送方向と平行或いはほぼ平行に形成することが望ましい。複数の切込みを設ける場合、複数の切込みをラベルにどのような位置関係で配置するかも任意である。位置や配置に意味を持たせても良いが、ラベルの搬送方向と平行或いはほぼ平行に配置することが望ましい。ラベル加工中やプリンタで印字発行する際に、破れたりめくれる等のリスクが低減される。
【００３４】
切込みは、ラベルのどの位置に配置しても構わない。。
【００３５】
切込みの数は任意である。１個で表現してもモールス符号のように複数の組合せで文字や数字を表現しても良い。
【００３６】
第１発明および第２発明において、ラベル基材５の種類や材質は、紙や合成樹脂フィルムなど特に限定されるものではなく、粘着紙として一般的に用いられているものである。例えば、上質紙、コート紙、アート紙のような紙基材、ＰＥＴ（ポリエチレンテレフタレート）、ＰＥ（ポリエチレン）、ＰＰ（ポリプロピレン）、ＰＳ（ポリスチレン）を素材とした合成樹脂フィルムや、前記の合成樹脂を複数種組み合わせたシート、合成樹脂フィルムと紙とを合わせた複合シートも使用できる。感熱紙（サーマル紙）でも構わない。
【００３７】
粘着剤層６の粘着剤は、例えば、エマルジョン系（粘着剤を水に分散したもの）、ソルベント系（粘着剤を溶剤に溶解したもの）、ホットメルト系（熱可塑性を利用したもの）等である。材質としては、合成ゴム系や天然ゴム系、アクリル樹脂系、ポリビニルエーテル樹脂系、ウレタン樹脂系、シリコーン樹脂系等の粘着剤があげられる。粘着剤の粘着力は任意である。
【００３８】
セパレータ７は汎用のものである。例えば、紙やフィルムに紫外線硬化型のシリコーン、熱硬化型のシリコーン、溶剤型のシリコーン、アルキルペンダントポリマーの他、フッ素系の剥離剤を塗工したものがあげられる。
【００３９】
なお、本発明が前述した実施の形態に限定されず、本発明の技術思想の範囲内において、各実施の形態は適宜変更され得ることは明らかである。また、上記構成部材の数、位置、形状、配置等は上記実施の形態に限定されず、本発明を実施する上で好適な数、位置、形状等にすることができる。
【符号の説明】
【００４０】
２  粘着紙
４  ラベル片
５  ラベル基材
６  粘着剤層
７  セパレータ
８  切込み
９  プレ印刷
１０  セキュリティラベル
１２  ラベルロール
１８・２８・３８・４８  切込み
５０  電子プリンタ
５１  ロール紙供給部
５２  筐体
５５  軸
５６  ガイドバー
５７  用紙センサ
５８  ピッチセンサ
６１  印字部
６２  プラテンローラ
６３  サーマルヘッド
６４  カッタユニット
６５  発行口
７０  バーコード
【図１】
0005679166.tif 000002
【図２】
0005679166.tif 000003
【図３】
0005679166.tif 000004
【図４】
0005679166.tif 000005
【図５】
0005679166.tif 000006
【図６】
0005679166.tif 000007
【図７】
0005679166.tif 000008